(57)【要約】      （修正有）【課題】特定者以外の第三者がシステムから医療情報を入手し難く、救急医療等に携わる医療関係者が、迅速に必要な医療情報を得られるようにした医療情報供給システムを提供する。【解決手段】管理コンピュータ２側は、登録者の医療情報２１ａと生物学的特徴情報２１ｂが対応付けられている登録者データベース２１と、医療従事者識別情報２２ａが記録されている医療従事者データベース２２と、対象者の生物学的特徴情報を入手する対象者識別情報入手手段２３と、利用者の識別情報を入手する利用者識別情報入手手段２４と、登録者データベース２１に対応するか否かの判定を行う登録者判定手段２５と、医療従事者データベース２２に対応するか否かの判定を行う医療従事者判定手段２６と、対象者の生物学的特徴情報と利用者の識別情報に基づいて、登録者の医療情報２１ａを情報端末４に送信する医療情報送信手段２７と、を備えている。【選択図】図１
2020173557.tif 000002
【特許請求の範囲】
【請求項１】
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報に対応付けられて記録されている登録者データベースと、
医療従事者の資格情報、生物学的特徴情報などの医療従事者識別情報が記録されている医療従事者データベースと、を有し、
前記管理コンピュータ側は、
インターネットや電話網からなる通信回線網を利用してアクセスしてくる情報端末から対象者の生物学的特徴情報を入手する対象者識別情報入手手段と、
通信回線網を利用してアクセスしてくる情報端末から利用者の識別情報を入手する利用者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記利用者の識別情報が、前記医療従事者データベースに記録された医療従事者識別情報に対応するか否かの判定を行う判定手段と、
前記情報端末から入手した前記対象者の生物学的特徴情報が前記登録者データベース内に存在し、かつ、前記情報端末から入手した前記利用者の識別情報が、前記医療従事者データベース内に存在した場合、前記登録者データベース内の該当する登録者の生物学的特徴情報に対応付けられた登録者の医療情報を前記情報端末に送信する医療情報送信手段と、を備えていることを特徴とする医療情報供給システム。
【請求項２】
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報に対応付けられて記録されている登録者データベースと、
利用者の医療知識レベルの判定に供される複数の質問情報が記録されている質問情報データベースと、を有し、
前記管理コンピュータ側は、
インターネットや電話網からなる通信回線網を利用してアクセスしてくる情報端末から対象者の生物学的特徴情報を入手する対象者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記対象者の生物学的特徴情報が前記登録者データベース内に存在した場合、前記質問情報データベースから前記情報端末へ前記質問情報を供する質問情報送信手段と、
前記利用者からの前記質問情報に対する返答が適切であるか否かを判定する判定手段と、
前記質問情報に対する返答が適切な場合、前記登録者データベース内の該当する登録者の生物学的特徴情報に対応付けられた登録者の医療情報を前記情報端末に送信する医療情報送信手段と、を備えることを特徴とする医療情報供給システム。
【請求項３】
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報に対応付けられて記録されている登録者データベースと、
医療従事者の資格情報、生物学的特徴情報などの医療従事者識別情報が記録されている医療従事者データベースと、
利用者の医療知識レベルの判定に供される複数の質問情報が記録されている質問情報データベースと、を有し、
前記管理コンピュータ側は、
インターネットや電話網からなる通信回線網を利用してアクセスしてくる情報端末から対象者の生物学的特徴情報を入手する対象者識別情報入手手段と、
通信回線網を利用してアクセスしてくる情報端末から利用者の識別情報を入手する利用者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記利用者の識別情報が、前記医療従事者データベースに記録された医療従事者識別情報に対応するか否かの判定を行う判定手段と、
前記情報端末から入手した前記対象者の生物学的特徴情報が前記登録者データベース内に存在し、かつ、前記情報端末から入手した前記利用者の識別情報が、前記医療従事者データベース内に存在した場合、前記登録者データベース内の該当する登録者の生物学的特徴情報に対応付けられた登録者の医療情報を前記情報端末に送信する医療情報送信手段と、
前記情報端末から入手した前記対象者の生物学的特徴情報が前記登録者データベース内に存在し、かつ、前記情報端末から入手した前記利用者の識別情報が、前記医療従事者データベース内に存在しない場合、前記質問情報データベースから前記情報端末へ前記質問情報を供する質問情報送信手段と、
前記利用者からの前記質問情報に対する返答が適切であるか否かを判定する判定手段と、
前記質問情報に対する返答が適切な場合、前記登録者データベース内の該当する登録者の生物学的特徴情報に対応付けられた登録者の医療情報を前記情報端末に送信する医療情報送信手段と、を備えることを特徴とする医療情報供給システム。
【請求項４】
前記医療従事者識別情報は、前記資格情報に応じて複数の階層別に予め振り分けられており、前記医療情報送信手段は、前記資格情報の階層に応じて前記医療情報を送信することを特徴とする請求項１ないし３のいずれかに記載の医療情報供給システム。
【請求項５】
前記管理コンピュータは、前記利用者の情報端末に前記医療情報を送信した旨を、前記登録者が予め登録した連絡先に報知する報知手段を備えることを特徴とする請求項１ないし４のいずれかに記載の医療情報供給システム。
【請求項６】
前記医療情報送信手段は、前記登録者の医療情報に含まれる身元情報を前記情報端末に送信することを特徴とする請求項１ないし５のいずれかに記載の医療情報供給システム。
【発明の詳細な説明】
【技術分野】
【０００１】
本発明は、主に救急出動時などの緊急医療を必要とする対象者の医療情報を迅速に取得できる医療情報供給システムに関する。
【背景技術】
【０００２】
近年、高齢者の増加も一因となり、救急出動件数、搬送人員は年々増加の傾向にあり、今後さらに増え続けると予想できる。救急出動時においては、初動の適切な対応によって救命率が上昇することから、緊急車両内において急病人に対し、当該急病人の病歴や、投薬状況などの医療情報に基づき適切かつ迅速な医療措置を図る必要がある。
【０００３】
しかしながら、例えば急病人の意識が無い場合、または救急時に付添人が不在の場合においては、当該急病人の病気・怪我の原因はおろか、急病人本人を特定することが難しく、特定までに時間を要することになる。また、救急時に家族・親族や知人などの付添人がいたとしても、急病人の必要かつ十分な健康情報を正確に知っているとは限らない。このようなことから、緊急搬送の際に、急病人の病歴や、投薬状況などの医療情報を搬送先に連絡して迅速に医師の診察に臨めるようにしたいという要望がある。
【０００４】
このような緊急的状況に備える為に、自発的に自身の病状や緊急連絡先を記し携帯するヘルプカードや名札類、投薬状況を記したお薬手帳などの携行品があるが、このような携行品に記載された情報量は少なく、また緊急搬送の際に必ずしも所持しているとは限らないことから、適切な医療措置を確実に行うことができるとは考えにくい。
【０００５】
このような状況の下、詳細な医療情報を閲覧可能な現状の医療情報供給システムとして、患者の医療情報を電子化し、病院内のネットワークを介して端末に表示させるシステムがある。しかし、このようなシステムは、個人情報保護の観点から、同病院内または関連病院のみでしか利用を望めないことが現状であり、救急搬送現場や外部の病院は十分な情報を得ることができなかった。
【０００６】
一方、医療情報供給システムにおいては、ネットワークを介して医療関係者以外の第三者がアクセスし、他者の医療情報を入手することができてしまうと、秘匿性の高い個人情報である医療情報を保護できなくなってしまうという問題があり、医療関係者のみが医療情報を入手することを可能とするシステムが切望されていた。
【発明の概要】
【発明が解決しようとする課題】
【０００７】
そこで、本発明は上記した問題点に着目してなされたもので、特定者以外の第三者がシステムから医療情報を入手し難く、救急医療等に携わる医療関係者が、きわめて迅速に必要な医療情報を得られるようにした通信回線を用いた医療情報供給システムを提供することを目的としている。
【課題を解決するための手段】
【０００８】
上記目的を達成するために、本発明の通信回線を用いた医療情報供給システムは、
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報（指紋、掌形、虹彩、網膜、声紋、血管、顔形、ＤＮＡ等の身体的特徴のほか、人の動き、癖、筆跡情報なども含む人固有の特徴の情報を含む、以下同じ）に対応付けられて記録されている登録者データベースと、
医療従事者の資格情報、生物学的特徴情報などの医療従事者識別情報が記録されている医療従事者データベースと、を有し、
前記管理コンピュータ側は、
インターネットや電話網からなる通信回線網を利用してアクセスしてくる情報端末から対象者の生物学的特徴情報を入手する対象者識別情報入手手段と、
通信回線網を利用してアクセスしてくる情報端末から利用者の識別情報を入手する利用者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記利用者の識別情報が、前記医療従事者データベースに記録された医療従事者識別情報に対応するか否かの判定を行う判定手段と、
前記情報端末から入手した前記対象者の生物学的特徴情報が前記登録者データベース内に存在し、かつ、前記情報端末から入手した前記利用者の識別情報が、前記医療従事者データベース内に存在した場合、前記登録者データベース内の該当する登録者の生物学的特徴情報に対応付けられた登録者の医療情報を前記情報端末に送信する医療情報送信手段と、を備えていることを特徴としている。
この特徴によれば、管理コンピュータが、利用者に識別情報を求めるとともに、対象者の生物学的特徴情報を求め、データベース上に識別情報がそれぞれ存在することを確認した後、登録者の医療情報を提供するので、特定者以外の第三者がシステムから医療情報を入手できなくなるばかりかシステムに情報端末を介して医療情報を求める際に生物学的特徴情報を提供することから、文字情報などを入力することなく認証させることができるので、きわめて迅速に必要な医療情報を得ることができる。
【０００９】
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報に対応付けられて記録されている登録者データベースと、
利用者の医療知識レベルの判定に供される複数の質問情報が記録されている質問情報データベースと、を有し、
前記管理コンピュータ側は、
インターネットや電話網からなる通信回線網を利用してアクセスしてくる情報端末から対象者の生物学的特徴情報を入手する対象者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記対象者の生物学的特徴情報が前記登録者データベース内に存在した場合、前記質問情報データベースから前記情報端末へ前記質問情報を供する質問情報送信手段と、
前記利用者からの前記質問情報に対する返答が適切であるか否かを判定する判定手段と、
前記質問情報に対する返答が適切な場合、前記登録者データベース内の該当する登録者の生物学的特徴情報に対応付けられた登録者の医療情報を前記情報端末に送信する医療情報送信手段と、を備えることを特徴としている。
この特徴によれば、管理コンピュータが、利用者に医療従事者であることの証明を求めるとともに、対象者の生物学的特徴情報を求め、利用者が医療従事者であり、かつデータベース上に対象者の識別情報が存在することを確認した後、登録者の医療情報を提供するので、特定者以外の第三者がシステムから医療情報を入手し辛くなるばかりか、システムに情報端末を介して医療情報を求める際に生物学的特徴情報を提供することから、文字情報などを入力することなく認証させることができるので、きわめて迅速に必要な医療情報を得ることができる。
【００１０】
インターネットや電話網からなる通信回線網の中に設置された管理コンピュータに於ける通信回線を用いた医療情報供給システムであって、
前記管理コンピュータ側は、
登録者の医療情報が前記登録者の生物学的特徴情報に対応付けられて記録されている登録者データベースと、
医療従事者の資格情報、生物学的特徴情報などの医療従事者識別情報が記録されている医療従事者データベースと、
利用者の医療知識レベルの判定に供される複数の質問情報が記録されている質問情報データベースと、を有し、
前記管理コンピュータ側は、
インターネットや電話網からなる通信回線網を利用してアクセスしてくる情報端末から対象者の生物学的特徴情報を入手する対象者識別情報入手手段と、
通信回線網を利用してアクセスしてくる情報端末から利用者の識別情報を入手する利用者識別情報入手手段と、
前記情報端末から入手した前記対象者の生物学的特徴情報が、前記登録者データベースに記録された生物学的特徴情報に対応するか否かの判定を行う判定手段と、
前記情報端末から入手した前記利用者の識別情報が、前記医療従事者データベースに記録された医療従事者識別情報に対応するか否かの判定を行う判定手段と、
前記情報端末から入手した前記対象者の生物学的特徴情報が前記登録者データベース内に存在し、かつ、前記情報端末から入手した前記利用者の識別情報が、前記医療従事者データベース内に存在した場合、前記登録者データベース内の該当する登録者の生物学的特徴情報に対応付けられた登録者の医療情報を前記情報端末に送信する医療情報送信手段と、
前記情報端末から入手した前記対象者の生物学的特徴情報が前記登録者データベース内に存在し、かつ、前記情報端末から入手した前記利用者の識別情報が、前記医療従事者データベース内に存在しない場合、前記質問情報データベースから前記情報端末へ前記質問情報を供する質問情報送信手段と、
前記利用者からの前記質問情報に対する返答が適切であるか否かを判定する判定手段と、
前記質問情報に対する返答が適切な場合、前記登録者データベース内の該当する登録者の生物学的特徴情報に対応付けられた登録者の医療情報を前記情報端末に送信する医療情報送信手段と、を備えることを特徴としている。
この特徴によれば、管理コンピュータが、利用者に医療従事者識別情報もしくは、医療従事者であることの証明を求めるとともに、対象者の生物学的特徴情報を求め、利用者が医療従事者であり、かつデータベース上に対象者の識別情報が存在することを確認した後、登録者の医療情報を提供するので、特定者以外の第三者がシステムから医療情報を入手し辛くなるばかりかシステムに情報端末を介して医療情報を求める際に生物学的特徴情報を提供することから、文字情報などを入力することなく認証させることができるので、きわめて迅速に必要な医療情報を得ることができる。
【００１１】
前記医療従事者識別情報は、前記資格情報に応じて複数の階層別に予め振り分けられており、前記医療情報送信手段は、前記資格情報の階層に応じて前記医療情報を送信することを特徴としている。
この特徴によれば、医師、救急隊員、看護師等、の階層に応じて必要かつ十分な医療情報を提供できる。
【００１２】
前記管理コンピュータは、前記利用者の情報端末に前記医療情報を送信した旨を、前記登録者が予め登録した連絡先に報知する報知手段を備えることを特徴としている。
この特徴によれば、登録者が予め登録した例えば近親者などが医療情報を提供した利用者の情報、及び本人の緊急事態や情報漏洩等の不具合が起きていないかを確認することができる。
【００１３】
前記医療情報送信手段は、前記登録者の医療情報に含まれる身元情報を前記情報端末に送信することを特徴としている。
この特徴によれば、利用者は、情報端末から登録者の身元情報を取得することができ、登録者の身元を特定した上で、迅速かつ適切な処置をすることができる。
【図面の簡単な説明】
【００１４】
【図１】実施例１における医療情報供給システムを示す模式図である。
【図２】医療情報供給システムの処理の流れを示すフロー図である。
【図３】医療従事者識別情報の段階別処理の一例を示す模式図である。
【図４】登録者が予め登録した連絡先の情報端末に情報が報知された態様を示す模式図である。
【図５】実施例２における医療情報供給システムを示す模式図である。
【図６】実施例２における医療情報供給システムの処理の流れを示すフロー図である。
【図７】質問情報送信手段により質問情報が情報端末に送信された態様を示す模式図である。
【図８】実施例３における医療情報供給システムを示す模式図である。
【図９】実施例３における医療情報供給システムの処理の流れを示すフロー図である。
【発明を実施するための形態】
【００１５】
本発明に係る医療情報供給システムを実施するための形態を実施例に基づいて以下に説明する。
（システムの構成）
【実施例１】
【００１６】
まず、本実施例の医療情報供給システム１は、図１に示すように、多数の利用者が個々に所有しているスマートフォンやタブレット端末等からなる情報端末４，…と、インターネットや電話網からなる通信回線網３を介して情報端末４，…とデータ通信可能なサービス提供者が所有する管理コンピュータ２と、から主に構成されている。なお図１はワイヤレスインターネット等無線を利用した通信構成の例である。
【００１７】
情報端末４，…は、文字や画像を表示可能な表示部４１と、指紋を読み取り可能なタッチパッドや写真または動画を撮影可能なカメラ、若しくは声紋を聞き取り可能なマイク等からなる生物学的特徴情報を取得可能な取得部４２をそれぞれ備えており、通信回線網３を介して管理コンピュータ２と情報を送受信できるようになっている。なお、情報端末４，…は、本実施例では、インターネットに接続可能な一般的なスマートフォンやタブレット等の市販の端末が適用されているが、これに限らず、管理コンピュータ２と情報を送受信する用途のみに使用される専用端末であってもよい。
【００１８】
医療情報供給システム１は、病歴のある各個人、もしくは医療従事者が医療情報供給システム１のサービス提供者との契約により登録するものであり、契約を完了した者は、後述する登録者データベース２１もしくは、医療従事者データベース２２に登録される。
【００１９】
管理コンピュータ２は、登録者データベース２１と、医療従事者データベース２２とを備えている。登録者データベース２１には、登録者本人の氏名、性別、生年月日、家族構成等に加えて持病や病歴、投薬状況、アレルギー情報等が記された医療情報２１ａと、登録者の指紋、掌形、虹彩、網膜、声紋、血管、顔形、ＤＮＡ等の身体的特徴に加え、登録者の動き、癖、筆跡情報などの人固有の特徴を含む登録者生物学的特徴情報２１ｂ（以下、単に登録者生物学的特徴情報２１ｂと称する）と、が記録されるようになっており、医療情報２１ａと登録者生物学的特徴情報２１ｂとは紐づけられて記録されるようになっている。
【００２０】
医療従事者データベース２２には、医師、救急隊員、看護師等の有資格者である現医療従事者が記録されるようになっており、医療従事者の氏名、性別、勤務先の病院や医療分野、資格情報などの基本情報と、医療従事者の指紋、掌形、虹彩、網膜、声紋、血管、顔形、ＤＮＡ等の身体的特徴に加え、医療従事者の動き、癖、筆跡情報などの人固有の特徴を含む生物学的特徴情報とが含まれる医療従事者識別情報２２ａ（以下、単に医療従事者識別情報２２ａと称する）が記録されるようになっている。医療従事者識別情報２２ａは、医師、救急隊員、看護師等の資格情報に応じて複数の階層別に振り分けるようになっており、資格情報の階層に応じて医療情報２１ａを開示させるようになっている。
【００２１】
管理コンピュータ２は、通信回線網３を利用してアクセスしてくる情報端末４の取得部４２から対象者の生物学的特徴情報を入手する対象者識別情報入手手段２３と、通信回線網３を利用してアクセスしてくる情報端末４の取得部４２から利用者の識別情報を入手する利用者識別情報入手手段２４とを備えている。
【００２２】
管理コンピュータ２は、情報端末４から入手した対象者の生物学的特徴情報が、登録者データベース２１に記録された登録者生物学的特徴情報２１ｂに対応するか否かの判定を行う登録者判定手段２５と、情報端末４から入手した利用者の識別情報が、医療従事者データベース２２に記録された医療従事者識別情報２２ａに対応するか否かの判定を行う医療従事者判定手段２６とを備えている。
【００２３】
管理コンピュータ２は、通信回線網３でアクセスしてきた利用者の情報端末４に登録者の医療情報２１ａを与える医療情報送信手段２７と、該医療情報送信手段２７によって医療情報２１ａを与えた後、登録者が予め登録した連絡先に、利用者に医療情報を与えた旨を報知する報知手段２８を備えている。
（システムの利用手順）
【００２４】
次に、本実施例における医療情報供給システム１の利用者へ医療情報を供給するまでの手順につき、図１及び図２のフローチャートに沿って説明する。
【００２５】
医療情報供給システム１の利用につき、通報者の通報により、緊急通報により現場に到着した情報端末４の利用者である救急隊員Ｂが、意識喪失状態で外傷の無い状態の対象者である患者Ａを病院へ向けて搬送しようとする救急車内での状況を例に説明する。尚、ここでは、患者Ａと救急隊員Ｂとが、それぞれ医療情報供給システム１のサービス提供者と契約しており、双方がデータベースに登録されていることとして説明する。
【００２６】
まず、救急車内において患者Ａの容体を把握するために、心拍、脈拍、血圧、体温などの計測が行われることになる。同伴者も無く意識喪失状態で外傷も無い患者Ａの容体を更に詳しく知るために、医療情報供給システム１が用いられる。情報端末４にインストールされた医療情報供給システム１を構成するアプリケーション４３を、救急隊員Ｂが起動させたこととして説明する。
【００２７】
医療情報供給システム１を構成するアプリケーション４３の起動とともに、通信回線網３を介して情報端末４にアクセスされた管理コンピュータ２は、まず医療情報供給システム１の備える利用者識別情報入手手段２４が、利用者（この場合、救急隊員Ｂ）に対して利用者自身の識別情報を求める旨のメッセージを、情報端末４の表示部４１に表示させる（図２のステップＳａ１）。
【００２８】
救急隊員Ｂは、情報端末４の備える取得部４２に、自身の識別情報として生物学的特徴情報Ｂ１を読み取らせて、この生物学的特徴情報Ｂ１を管理コンピュータ２へ返信する。尚、利用者識別情報入手手段２４が利用者である救急隊員Ｂに対して、複数の生物学的特徴情報Ｂ１，Ｂ１，‥を求めることとしてもよく、この場合救急隊員Ｂは指定された複数の生物学的特徴情報Ｂ１，Ｂ１，‥を返信する必要がある。尚、利用者識別情報入手手段２４の求める識別情報は、生物学的特徴情報のみに限られず、この生物学的特徴情報に替えて、若しくは加えて、医療従事者がそれぞれ備える医師免許等の資格コード等の資格情報であってもよい。
【００２９】
返信を受けた管理コンピュータ２は、医療従事者判定手段２６により情報端末４から入手した救急隊員Ｂの生物学的特徴情報Ｂ１が、医療従事者データベース２２に記録された医療従事者識別情報２２ａに対応するか否かの検索を行う（図２のステップＳａ２）。
【００３０】
検索の後、情報端末４から入手した救急隊員Ｂの生物学的特徴情報Ｂ１が、医療従事者データベース２２に記録された医療従事者識別情報２２ａに合致すると判定された場合、次に、対象者識別情報入手手段２３が、閲覧したい対象者（この場合、患者Ａ）の生物学的特徴情報を求める旨のメッセージを、情報端末４の表示部４１に表示させる（図２のステップＳａ３）。
【００３１】
一方、情報端末４から入手した救急隊員Ｂの生物学的特徴情報Ｂ１が、医療従事者データベース２２に記録された医療従事者識別情報２２ａに存在しないと判定された場合、情報端末４からの通信を拒否する。尚、取得部４２の取得不良の可能性も考えられるので、再度、救急隊員Ｂの生物学的特徴情報Ｂ１を求めた上で、存在しないと判定された場合、通信を拒否することとしてもよい。
【００３２】
図２のステップＳａ３において、対象者識別情報入手手段２３から患者Ａの生物学的特徴情報を求められた救急隊員Ｂは、情報端末４の取得部４２に患者Ａの生物学的特徴情報Ａ１（例えば指紋）を読み取らせ、送信する。尚、対象者の身体に著しい損傷が見受けられ、例えば指紋を読み取ることが不可能な場合は、対象者識別情報入手手段２３が求める生物学的特徴情報の該当箇所を、例えば指紋から虹彩に変更するなど、適宜変更できるようにしてもよい。
【００３３】
返信を受けた管理コンピュータ２は、登録者判定手段２５により情報端末４から入手した患者Ａの生物学的特徴情報Ａ１が、登録者データベース２１に記録された登録者生物学的特徴情報２１ｂに対応するか否かの検索を行う。（図２のステップＳａ４）
【００３４】
検索の後、情報端末４から入手した患者Ａの生物学的特徴情報Ａ１が、登録者データベース２１に記録された登録者生物学的特徴情報２１ｂに合致すると判定された場合、次に、医療情報送信手段２７が、登録者データベース２１内における登録者である患者Ａの登録者生物学的特徴情報２１ｂに紐づけられている患者Ａの医療情報２１ａを、情報端末４に対して送信する（図２のステップＳａ５）。救急隊員Ｂは、情報端末４の表示部４１から患者Ａの医療情報２１ａを取得することができ、既往歴、持病や投薬情報等を確認した上で救急車内での迅速かつ適切な処置の方針を策定したり、搬送先に治療に必要な医療機器を連絡することができる。
【００３５】
また、医療従事者識別情報２２ａは、各医療従事者の資格情報に応じて複数の階層別に振り分けられており、医療情報送信手段２７は、情報の開示対象となる救急隊員Ｂの資格情報の階層に応じて、患者Ａの医療情報２１ａを開示させるようになっている。よって、例えば図３に示されるように、医療情報２１ａのうち秘匿性の高い情報（秘匿情報）を含む全部の医療情報は、医師及び救急隊員のみを対象に開示され、医療情報２１ａのうち秘匿情報を除く一部の医療情報のみが、看護師を対象に開示されるなど、医師、救急隊員、看護師等、の階層に応じて必要かつ十分な医療情報を提供できる。尚、事前に医療情報２１ａの公開範囲を登録者が任意で設定できるようにしてもよい。
【００３６】
一方、情報端末４から入手した患者Ａの生物学的特徴情報Ａ１が、登録者データベース２１に記録された登録者生物学的特徴情報２１ｂに存在しないと判定された場合、情報端末４の表示部４１に、患者Ａが登録されていない患者である旨メッセージを表示させる。尚、取得部４２の取得不良の可能性も考えられるので、再度、患者Ａの生物学的特徴情報Ａ１を求めた上で、存在しないと判定された場合、情報端末４の表示部４１に登録されていない患者である旨メッセージを表示させることとしてもよい。
【００３７】
また、図４に示されるように、管理コンピュータ２の備える報知手段２８が、救急隊員Ｂの情報端末に医療情報を送信した旨を、患者Ａが予め登録した近親者等の情報端末１４に報知する（図２のステップＳａ６）。報知項目として、医療情報２１ａを送信した時刻、情報端末４の位置情報、送信先である救急隊員Ｂの氏名、勤務先の病院等が望ましいがこの限りではなく、アクセスしてきた情報端末４の位置情報等を解析し、救急搬送先と成り得る病院一覧等を添付してもよい。
【００３８】
尚、実施例１において管理コンピュータ２が、まず、利用者（救急隊員Ｂ）に対して利用者の識別情報を求めることとしたがこれに限られず、先に患者Ａの生物学的特徴情報を求めることとしてもよい。
【００３９】
このように、本発明の通信回線を用いた医療情報供給システム１は、インターネットや電話網からなる通信回線網３の中に設置された管理コンピュータ２に於ける通信回線を用いた医療情報供給システム１であって、管理コンピュータ２側は、登録者の医療情報２１ａが登録者の生物学的特徴情報２１ｂに対応付けられて記録されている登録者データベース２１と、医療従事者の資格情報、生物学的特徴情報などの医療従事者識別情報２２ａが記録されている医療従事者データベース２２と、を有し、管理コンピュータ２側は、インターネットや電話網からなる通信回線網３を利用してアクセスしてくる情報端末４から対象者（患者Ａ）の生物学的特徴情報Ａ１を入手する対象者識別情報入手手段２３と、通信回線網３を利用してアクセスしてくる情報端末４から利用者（救急隊員Ｂ）の識別情報を入手する利用者識別情報入手手段２４と、情報端末４から入手した対象者の生物学的特徴情報Ａ１が、登録者データベース２１に記録された生物学的特徴情報２１ｂに対応するか否かの判定を行う登録者判定手段２５と、情報端末４から入手した利用者の識別情報が、医療従事者データベース２２に記録された医療従事者識別情報に対応するか否かの判定を行う医療従事者判定手段２６と、情報端末４から入手した対象者の生物学的特徴情報Ａ１が登録者データベース内に存在し、かつ、情報端末４から入手した利用者の識別情報が、医療従事者データベース２２内に存在した場合、該当する登録者の生物学的特徴情報２１ｂに対応付けられた登録者の医療情報２１ａを情報端末４に送信する医療情報送信手段２７と、を備えていることから、管理コンピュータ２が、利用者に識別情報を求めるとともに、対象者の生物学的特徴情報Ａ１を求め、データベース上に識別情報がそれぞれ存在することを確認した後、登録者の医療情報２１ａを提供するので、特定者以外の第三者がシステムから医療情報２１ａを入手できなくなるばかりかシステムに情報端末４を介して医療情報２１ａを求める際に生物学的特徴情報２１ｂを提供することから、文字情報などを入力することなく認証させることができるので、きわめて迅速に必要な医療情報を得ることができる。
【００４０】
また、医療従事者識別情報２２ａは、資格情報に応じて複数の階層別に予め振り分けられており、医療情報送信手段２７は、資格情報の階層に応じて医療情報を送信することから、医師、救急隊員、看護師等、の階層に応じて必要かつ十分な医療情報を提供できる。
【００４１】
また、管理コンピュータは、利用者の情報端末４に医療情報２１ａを送信した旨を、前記登録者が予め登録した連絡先に報知する報知手段２８を備えていることから、登録者が予め登録した例えば近親者などが医療情報２１ａを提供した利用者の情報、及び本人の緊急事態や情報漏洩等の不具合が起きていないかを確認することができる。
【実施例２】
【００４２】
次に、実施例２に係る医療情報供給システムにつき、図５〜７を参照して説明する。尚、前記実施例と同一構成で重複する構成の説明を省略する。
（システムの構成）
【００４３】
図５に示されるように、実施例２における医療情報供給システム１１において、管理コンピュータ１２は、登録者データベース２１と、医療知識レベルの判定に供される複数の質問情報２９ａが記録された質問情報データベース２９を備えている。尚、実施例２における管理コンピュータ１２は、実施例１における医療従事者データベース２２は有していない。
【００４４】
また、管理コンピュータ１２は、質問情報データベース２９の質問情報２９ａを情報端末４へ送信する質問情報送信手段３０と、情報端末４から返信された質問情報２９ａの回答の適否を判断する回答情報判定手段３１を有している。
【００４５】
また、管理コンピュータ１２は、通信回線網３を利用してアクセスしてくる情報端末４の取得部４２から対象者の生物学的特徴情報を入手する対象者識別情報入手手段２３と、情報端末４から入手した対象者の生物学的特徴情報が、登録者データベース２１に記録された登録者生物学的特徴情報２１ｂに対応するか否かの判定を行う登録者判定手段２５と、を備えている。
【００４６】
さらに管理コンピュータ１２は、通信回線網３でアクセスしてきた利用者の情報端末４に登録者の医療情報２１ａを与える医療情報送信手段２７と、該医療情報送信手段２７によって医療情報２１ａを与えた後、登録者が予め登録した連絡先に、利用者に医療情報を与えた旨を報知する報知手段２８を備えている。
（システムの利用手順）
【００４７】
次に、実施例２における医療情報供給システム１１の利用者へ医療情報を供給するまでの手順につき、図６のフローチャートに沿って説明する。
【００４８】
医療情報供給システム１１を構成するアプリケーション４３の起動とともに、通信回線網３を介して情報端末４にアクセスされた管理コンピュータ１２は、まず医療情報供給システム１１の備える対象者識別情報入手手段２３が、利用者（救急隊員Ｂ）に対して、閲覧したい対象者（患者Ａ）の生物学的特徴情報を求める旨のメッセージを、情報端末４の表示部４１に表示させる（図６のステップＳｂ１）。
【００４９】
図６のステップＳｂ１において、対象者識別情報入手手段２３から患者Ａの生物学的特徴情報を求められた救急隊員Ｂは、情報端末４の取得部４２に患者Ａの生物学的特徴情報Ａ１（例えば指紋）を読み取らせ、送信する。尚、対象者の身体に著しい損傷が見受けられ、例えば指紋を読み取ることが不可能な場合は、対象者識別情報入手手段２３が求める生物学的特徴情報の該当箇所を、例えば指紋から虹彩に変更するなど、適宜変更できるようにしてもよい。
【００５０】
返信を受けた管理コンピュータ１２は、登録者判定手段２５により情報端末４から入手した患者Ａの生物学的特徴情報Ａ１が、登録者データベース２１に記録された登録者生物学的特徴情報２１ｂに対応するか否かの検索を行う（図６のステップＳｂ２）。
【００５１】
検索の後、情報端末４から入手した患者Ａの生物学的特徴情報Ａ１が、登録者データベース２１に記録された登録者生物学的特徴情報２１ｂに合致すると判定された場合、次に、質問情報送信手段３０が質問情報データベース２９内の複数の質問情報２９ａを情報端末４に送信する（図６のステップＳｂ３）。
【００５２】
一方、図６のステップＳｂ２において、情報端末４から入手した患者Ａの生物学的特徴情報Ａ１が、登録者データベース２１に記録された登録者生物学的特徴情報２１ｂに存在しないと判定された場合、情報端末４の表示部４１に登録されていない患者である旨メッセージを表示させる。尚、取得部４２の読取不良の可能性も考えられるので、再度、患者Ａの生物学的特徴情報Ａ１を求めた上で、存在しないと判定された場合、情報端末４の表示部４１に登録されていない患者である旨メッセージを表示させることとしてもよい。
【００５３】
次に、図６のステップＳｂ３において、複数の質問情報２９ａを情報端末４に受信した救急隊員Ｂは、図７に示されるように複数の用意された回答の中から適正な回答を選択し返信する。このとき、医療知識を有する利用者であればスムーズに回答可能な猶予時間を設定しておき、例えば６０秒以内に回答を返信させるように設定してもよい。
【００５４】
情報端末４から回答を受信した管理コンピュータ１２は、回答情報判定手段３１により、返信された複数の質問情報２９ａに対する回答の適否を判定する（図６のステップＳｂ４）。
【００５５】
回答情報判定手段３１により、回答の正答率が設定された基準を上回り、利用者が医療知識を保持していると判断された場合、医療情報送信手段２７が、登録者データベース２１内における登録者である患者Ａの登録者生物学的特徴情報２１ｂに紐づけられている患者Ａの医療情報２１ａを、情報端末４に対して送信する。救急隊員Ｂは、情報端末４の表示部４１から患者Ａの医療情報２１ａを閲覧することができ、既往歴、持病や投薬情報を確認した上で救急車内での処置の方針を策定したり、搬送先に治療に必要な医療機器を連絡することができる（図６のステップＳｂ５）。
【００５６】
一方、図６のステップＳｂ４において、回答情報判定手段３１により回答の正答率が設定された基準を下回り、利用者が医療知識を保持していないと判断された場合、情報端末４からの通信を拒否する。
【００５７】
最後に、管理コンピュータ１２の備える報知手段２８が、救急隊員Ｂの情報端末に医療情報を送信した旨を、患者Ａが予め登録した近親者等の情報端末１４に報知する（図６のステップＳｂ６）。
【００５８】
このように、本発明の通信回線を用いた医療情報供給システム１１は、インターネットや電話網からなる通信回線網３の中に設置された管理コンピュータ１２に於ける通信回線を用いた医療情報供給システム１１であって、管理コンピュータ１２側は、登録者の医療情報２１ａが登録者の生物学的特徴情報２１ｂに対応付けられて記録されている登録者データベース２１と、利用者（救急隊員Ｂ）の医療知識レベルの判定に供される複数の質問情報２９ａが記録されている質問情報データベース２９と、を有し、管理コンピュータ側１２は、インターネットや電話網からなる通信回線網３を利用してアクセスしてくる情報端末４から対象者（患者Ａ）の生物学的特徴情報Ａ１を入手する対象者識別情報入手手段２３と、情報端末４から入手した対象者の生物学的特徴情報Ａ１が、登録者データベース２１に記録された生物学的特徴情報２１ｂに対応するか否かの判定を行う登録者判定手段２５と、情報端末４から入手した登録者の生物学的特徴情報Ａ１が登録者データベース２１内に存在した場合、質問情報データベース２９から情報端末４へ質問情報２９ａを供する質問情報送信手段３０と、利用者からの質問情報２９ａに対する返答が適切であるか否かを判定する回答情報判定手段３１と、質問情報２９ａに対する返答が適切な場合、該当する登録者の生物学的特徴情報２１ｂに対応付けられた登録者の医療情報２１ａを情報端末４に送信する医療情報送信手段２７と、を備えることから、管理コンピュータ１２が、利用者に医療従事者であることの証明を求めるとともに、対象者の生物学的特徴情報Ａ１を求め、利用者が医療従事者であり、かつデータベース上に対象者の生物学的特徴情報２１ｂが存在することを確認した後、登録者の医療情報２１ａを提供するので、特定者以外の第三者がシステムから医療情報２１ａを入手し辛くなるばかりか、システムに情報端末４を介して医療情報２１ａを求める際に生物学的特徴情報２１ｂを提供することから、文字情報などを入力することなく認証させることができるので、きわめて迅速に必要な医療情報２１ａを得ることができる。
【実施例３】
【００５９】
次に、実施例３に係る医療情報供給システム１１１につき、図８，９を参照して説明する。尚、前記実施例と同一構成で重複する構成の説明を省略する。
（システムの構成）
【００６０】
図８に示されるように、実施例３における医療情報供給システム１１１において、管理コンピュータ１１２は、登録者データベース２１と、医療従事者データベース２２と、質問情報データベース２９を備えている。各データベース内に記憶されている構成は先述した実施例１または２と同様のため、説明を省略する。
【００６１】
管理コンピュータ１１２は、通信回線網３を利用してアクセスしてくる情報端末４の取得部４２から対象者の生物学的特徴情報を入手する対象者識別情報入手手段２３と、通信回線網３を利用してアクセスしてくる情報端末４の取得部４２から利用者の識別情報を入手する利用者識別情報入手手段２４とを備えている。
【００６２】
管理コンピュータ１１２は、情報端末４から入手した対象者の生物学的特徴情報が、登録者データベース２１に記録された登録者生物学的特徴情報２１ｂに対応するか否かの判定を行う登録者判定手段２５と、情報端末４から入手した利用者の識別情報が、医療従事者データベース２２に記録された医療従事者識別情報２２ａに対応するか否かの判定を行う医療従事者判定手段２６とを備えている。
【００６３】
また、管理コンピュータ１１２は、質問情報データベース２９の質問情報２９ａを情報端末４へ送信する質問情報送信手段３０と、情報端末４から返信された質問情報２９ａの回答の適否を判断する回答情報判定手段３１を備えている。
【００６４】
さらに管理コンピュータ１１２は、通信回線網３でアクセスしてきた利用者の情報端末４に登録者の医療情報２１ａを与える医療情報送信手段２７と、該医療情報送信手段２７によって医療情報２１ａを与えた後、登録者が予め登録した連絡先に、利用者に医療情報を与えた旨を報知する報知手段２８を備えている。
（システムの利用手順）
【００６５】
次に、実施例３における医療情報供給システム１１１の利用者へ医療情報を供給するまでの手順につき、図９のフローチャートに沿って説明する。また、前記実施例と同一構成で重複する構成の説明を省略する。
【００６６】
医療情報供給システム１１１を構成するアプリケーション４３の起動とともに、通信回線網３を介して情報端末４にアクセスされた管理コンピュータ１１２は、まず医療情報供給システム１１１の備える対象者識別情報入手手段２３が、利用者（救急隊員Ｂ）に対して、閲覧したい対象者（患者Ａ）の生物学的特徴情報を求める旨のメッセージを、情報端末４の表示部４１に表示させる（図９のステップＳｃ１）。
【００６７】
図９のステップＳｃ１において、対象者識別情報入手手段２３から患者Ａの生物学的特徴情報を求められた救急隊員Ｂは、情報端末４の取得部４２に患者Ａの生物学的特徴情報Ａ１（例えば指紋）を読み取らせ、送信する。尚、対象者の身体に著しい損傷が見受けられ、例えば指紋を読み取ることが不可能な場合は、対象者識別情報入手手段２３が求める生物学的特徴情報の該当箇所を、例えば指紋から虹彩に変更するなど、適宜変更できるようにしてもよい。
【００６８】
返信を受けた管理コンピュータ１１２は、登録者判定手段２５により情報端末４から入手した患者Ａの生物学的特徴情報Ａ１が、登録者データベース２１に記録された登録者生物学的特徴情報２１ｂに対応するか否かの検索を行う（図９のステップＳｃ２）。
【００６９】
検索の後、情報端末４から入手した患者Ａの生物学的特徴情報Ａ１が、登録者データベース２１に記録された登録者生物学的特徴情報２１ｂに合致すると判定された場合、次に、医療情報供給システム１１１の備える利用者識別情報入手手段２４が、利用者（救急隊員Ｂ）に対して利用者自身の識別情報を求める旨のメッセージを、情報端末４の表示部４１に表示させる（図９のステップＳｃ３）。
【００７０】
一方、図９のステップＳｃ２において、情報端末４から入手した患者Ａの生物学的特徴情報Ａ１が、登録者データベース２１に記録された登録者生物学的特徴情報２１ｂに存在しないと判定された場合、情報端末４の表示部４１に、患者Ａが登録されていない患者である旨メッセージを表示させる。尚、取得部４２の読取不良の可能性も考えられるので、再度、患者Ａの生物学的特徴情報Ａ１を求めた上で、存在しないと判定された場合、情報端末４の表示部４１に登録されていない患者である旨メッセージを表示させることとしてもよい。
【００７１】
次に救急隊員Ｂは、情報端末４の備える取得部４２に自身の生物学的特徴情報Ｂ１を読み取らせて、この生物学的特徴情報Ｂ１を管理コンピュータ１１２へ返信する。尚、利用者識別情報入手手段２４が利用者である救急隊員Ｂに対して、複数の生物学的特徴情報Ｂ１，Ｂ１，‥を求めることとしてもよく、この場合救急隊員Ｂは指定された複数の生物学的特徴情報Ｂ１，Ｂ１，‥を返信する必要がある。尚、利用者識別情報入手手段２４の求める識別情報は、生物学的特徴情報のみに限られず、この生物学的特徴情報に替えて、若しくは加えて、医療従事者がそれぞれ備える医師免許等の資格コード等の資格情報であってもよい。
【００７２】
返信を受けた管理コンピュータ１１２は、医療従事者判定手段２６により情報端末４から入手した救急隊員Ｂの生物学的特徴情報Ｂ１が、医療従事者データベース２２に記録された医療従事者識別情報２２ａに対応するか否かの検索を行う（図９のステップＳｃ４）。
【００７３】
検索の後、情報端末４から入手した救急隊員Ｂの生物学的特徴情報Ｂ１が、医療従事者データベース２２に記録された医療従事者識別情報２２ａに合致すると判定された場合、次に、医療情報送信手段２７が、登録者データベース２１内における登録者である患者Ａの登録者生物学的特徴情報２１ｂに紐づけられている患者Ａの医療情報２１ａを、情報端末４に対して送信する（図９のステップＳｃ５）。
【００７４】
一方、情報端末４から入手した救急隊員Ｂの生物学的特徴情報Ｂ１が、医療従事者データベース２２に記録された医療従事者識別情報２２ａに存在しないと判定された場合、情報端末４の表示部４１に救急隊員Ｂが医療従事者データベース２２内に登録されていない旨を表示させる。（図９のステップＳｃ７）
【００７５】
次に、医療従事者データベース２２内に登録されていない救急隊員Ｂに対して、質問情報送信手段３０が質問情報データベース２９内の複数の質問情報２９ａを情報端末４に送信する（図９のステップＳｃ８）。尚、利用者が医療情報供給システム１１１のサービス提供者と契約しておらず、医療従事者データベース２２に登録されていないと分かっている場合は、図９のステップＳｃ３、Ｓｃ４、Ｓｃ７を省略し、図９のステップＳｃ２からステップＳｃ８にリンクするように利用者に選択させてもよい。
【００７６】
次に、図９のステップＳｃ８において、複数の質問情報２９ａを情報端末４に受信した救急隊員Ｂは、図７に示されるように複数の用意された回答の中から適正な回答を選択し返信する。このとき、医療知識を有する利用者であればスムーズに回答可能な猶予時間を設定しておき、例えば６０秒以内に回答を返信させるように設定してもよい。
【００７７】
情報端末４から回答を受信した管理コンピュータ１１２は、回答情報判定手段３１により、返信された複数の質問情報２９ａに対する回答の適否を判定する（図９のステップＳｃ９）。
【００７８】
回答情報判定手段３１により、回答の正答率が設定された基準を上回り、利用者が医療知識を保持していると判断された場合、医療情報送信手段２７が、登録者データベース２１内における登録者である患者Ａの登録者生物学的特徴情報２１ｂに紐づけられている患者Ａの医療情報２１ａを、情報端末４に対して送信する。救急隊員Ｂは、情報端末４の表示部４１から患者Ａの医療情報２１ａを閲覧することができ、既往歴、持病や投薬情報を確認した上で救急車内での処置の方針を策定したり、搬送先に治療に必要な医療機器を連絡することができる（図９のステップＳｃ５）。
【００７９】
一方、図９のステップＳｃ９において、回答情報判定手段３１により回答の正答率が設定された基準を下回り、利用者が医療知識を保持していないと判断された場合、情報端末４からの通信を拒否する。
【００８０】
最後に、管理コンピュータ１１２の備える報知手段２８が、救急隊員Ｂの情報端末に医療情報を送信した旨を、患者Ａが予め登録した近親者等の情報端末１４に報知する（図９のステップＳｃ６）。
【００８１】
尚、実施例３において、管理コンピュータ１１２は、患者Ａが登録者データベース２１内に登録されているかを先に判定した後、利用者が医療知識を有しているかの判定をするようになっているので、利用者が緊急時において、先に患者Ａが登録者データベース２１内に登録されているのかを察知した上で、管理コンピュータ１１２へ質問情報２９ａの返答をすることができるようになっている。
【００８２】
このように、本発明の通信回線を用いた医療情報供給システム１１１は、インターネットや電話網からなる通信回線網３の中に設置された管理コンピュータ１１２に於ける通信回線を用いた医療情報供給システム１１１であって、管理コンピュータ１１２側は、登録者の医療情報２１ａが登録者の生物学的特徴情報２１ｂに対応付けられて記録されている登録者データベース２１と、医療従事者の資格情報、生物学的特徴情報などの医療従事者識別情報２２ａが記録されている医療従事者データベース２２と、利用者の医療知識レベルの判定に供される複数の質問情報２９ａが記録されている質問情報データベース２９と、を有し、管理コンピュータ１１２側は、インターネットや電話網からなる通信回線網３を利用してアクセスしてくる情報端末４から対象者（患者Ａ）の生物学的特徴情報Ａ１を入手する対象者識別情報入手手段２３と、通信回線網３を利用してアクセスしてくる情報端末４から利用者（救急隊員Ｂ）の識別情報を入手する利用者識別情報入手手段２４と、情報端末４から入手した対象者の生物学的特徴情報Ａ１が、登録者データベース２１に記録された生物学的特徴情報２１ｂに対応するか否かの判定を行う登録者判定手段２５と、情報端末４から入手した利用者の識別情報が、医療従事者データベース２２に記録された医療従事者識別情報２２ａに対応するか否かの判定を行う医療従事者判定手段２６と、情報端末４から入手した対象者の生物学的特徴情報Ａ１が登録者データベース２１内に存在し、かつ、情報端末４から入手した利用者の識別情報が、医療従事者データベース２２内に存在した場合、該当する登録者の生物学的特徴情報２１ｂに対応付けられた登録者の医療情報２１ａを情報端末４に送信する医療情報送信手段２７と、情報端末４から入手した対象者の生物学的特徴情報Ａ１が登録者データベース２１内に存在し、かつ、情報端末４から入手した利用者の識別情報が、医療従事者データベース２２内に存在しない場合、質問情報データベース２９から情報端末４へ質問情報２９ａを供する質問情報送信手段３０と、利用者からの質問情報２９ａに対する返答が適切であるか否かを判定する回答情報判定手段３１と、質問情報２９ａに対する返答が適切な場合、該当する登録者の生物学的特徴情報２１ｂに対応付けられた登録者の医療情報２１ａを情報端末４に送信する医療情報送信手段２７と、を備えることから、管理コンピュータ１１２が、利用者に医療従事者識別情報２２ａもしくは、医療従事者であることの証明を求めるとともに、対象者の生物学的特徴情報２１ｂを求め、利用者が医療従事者であり、かつデータベース上に対象者の識別情報が存在することを確認した後、登録者の医療情報２１ａを提供するので、特定者以外の第三者がシステムから医療情報２１ａを入手し辛くなるばかりかシステムに情報端末４を介して医療情報２１ａを求める際に生物学的特徴情報２１ｂを提供することから、文字情報などを入力することなく認証させることができるので、きわめて迅速に必要な医療情報２１ａを得ることができる。
【００８３】
以上、本発明の実施形態を図面及び実施例１〜３によって説明してきたが、具体的な構成はこれら各実施形態に限られるものではなく、本発明の要旨を逸脱しない範囲における変更や追加等があっても本発明に含まれる。
【００８４】
例えば、上記実施例では、対象者として救急医療を要する生存者である患者Ａが例示され、また情報端末４の利用者として救急隊員Ｂが例示されているが、これに限らず例えば、対象者が病気や怪我若しくは何らかの原因で、救急医療中若しくは発見時に既に心肺停止した者Ｃ（以下、該当者Ｃと称する）であり、また情報端末４の利用者が該当者Ｃの死亡を確認するとともに検死する検死医Ｄであってもよい。
【００８５】
この場合、上記した実施例と同様に、検死医Ｄは、情報端末４の備える取得部４２に、自身の識別情報として生物学的特徴情報Ｄ１を読み取らせて、この生物学的特徴情報Ｄ１を管理コンピュータ２へ返信する。返信を受けた管理コンピュータ２は、情報端末４から入手した救急隊員Ｄの生物学的特徴情報Ｄ１が、医療従事者データベース２２に記録された医療従事者識別情報２２ａに合致すると判定された場合、次に、対象者識別情報入手手段２３が、閲覧したい対象者（この場合、該当者Ｃ）の生物学的特徴情報を求める旨のメッセージを、情報端末４の表示部４１に表示させる。
【００８６】
次に、対象者識別情報入手手段２３から該当者Ｃの生物学的特徴情報を求められた検死医Ｄは、情報端末４の取得部４２に該当者Ｃの生物学的特徴情報Ｃ１（例えば血液に含まれるＤＮＡ）を読み取らせ、送信する。
【００８７】
次に、情報端末４から入手した該当者Ｃの生物学的特徴情報Ｃ１が、登録者データベース２１に記録された登録者生物学的特徴情報２１ｂに合致すると判定された場合、次に、医療情報送信手段２７が、登録者データベース２１内における登録者である該当者Ｃの登録者生物学的特徴情報２１ｂに紐づけられている該当者Ｃの身元情報（氏名、生年月日、性別、住所等）を、情報端末４に対して送信する。検死医Ｄは、情報端末４の表示部４１から該当者Ｃの身元情報を取得することができ、該当者Ｃの身元を特定した上で、該当者Ｃが死亡している旨の連絡を警察当局に行うなど、迅速かつ適切な処置をすることができる。
【００８８】
また、特に図示しないが、管理コンピュータ２の備える緊急報知手段が、検死医Ｄの情報端末に該当者Ｃの身元情報を送信した旨を、該当者Ｃが予め登録した近親者等の情報端末に緊急報知する。報知項目として、身元情報を送信した時刻、情報端末の位置情報、送信先である検死医Ｄの氏名、勤務先の病院等が望ましい。
【符号の説明】
【００８９】
１                医療情報供給システム
２                管理コンピュータ
３                通信回線網
４                情報端末
１１              医療情報供給システム
１２              管理コンピュータ
２１              登録者データベース
２１ａ            医療情報
２１ｂ            登録者生物学的特徴情報
２２              医療従事者データベース
２２ａ            医療従事者識別情報
２３              対象者識別情報入手手段
２４              利用者識別情報入手手段
２５              登録者判定手段
２６              医療従事者判定手段
２７              医療情報送信手段
２８              報知手段
２９              質問情報データベース
２９ａ            質問情報
１１１            医療情報供給システム
１１２            管理コンピュータ
Ａ                患者（対象者）
Ｂ                救急隊員（利用者）
【図１】
2020173557.tif 000003
【図２】
2020173557.tif 000004
【図３】
2020173557.tif 000005
【図４】
2020173557.tif 000006
【図５】
2020173557.tif 000007
【図６】
2020173557.tif 000008
【図７】
2020173557.tif 000009
【図８】
2020173557.tif 000010
【図９】
2020173557.tif 000011